(57)【要約】【課題】  文字キーが配列される領域をより広く確保して文字キーの個数を増加させることにより、文字使用をより便利にするサイドスライド型電子装置及びその制御方法を提供する。【解決手段】  サイドスライド型電子装置は、縦と横の長さが異なるように形成された本体４００と、前記本体４００と重なるスライダー５００と、前記本体４００とスライダー５００との間に装着され、前記スライダー５００を前記本体４００の長さの短い方向に動き可能にする横方向スライド手段６００とを含み、前記スライダー５００に備えられるディスプレイユニット５３０に表示される画像情報を９０°変換して制御する。【選択図】図２
2006178924.tif 000002
【特許請求の範囲】
【請求項１】
縦と横の長さが異なるように形成され、その長さの長い方向の所定領域に長手方向に複数のキーが配列されるキーパッドが備えられた本体と、
前記本体と重なるスライダーと、
前記本体とスライダーとの間に装着され、前記スライダーにより前記本体の複数のキーが開放または覆蓋されるように、前記スライダーを前記本体の長さの短い方向に動き可能にする横方向スライド手段と、
を含むことを特徴とするサイドスライド型電子装置。
【請求項２】
前記キーパッドは、コンピュータのキーボードのようなＱＷＥＲＴＹキー配列を有することを特徴とする請求項１に記載のサイドスライド型電子装置。
【請求項３】
前記本体の複数のキーが該本体の上面に配列される領域は、前記本体の長さの短い辺の１/２と、前記本体の長さの長い辺の全体に該当する面積であることを特徴とする請求項２に記載のサイドスライド型電子装置。
【請求項４】
前記複数のキーは、文字を入力するためのキーを含むことを特徴とする請求項２に記載のサイドスライド型電子装置。
【請求項５】
互いに対面する前記本体の上面と前記スライダーの下面とは、同じ形状に形成されることを特徴とする請求項１に記載のサイドスライド型電子装置。
【請求項６】
前記スライダーの上面には、数字を入力するための複数のキーと、機能を操作するための複数のキーが備えられることを特徴とする請求項１に記載のサイドスライド型電子装置。
【請求項７】
前記スライダーの上面には、ディスプレイユニットが備えられることを特徴とする請求項１に記載のサイドスライド型電子装置。
【請求項８】
前記横方向スライド手段は、
前記本体またはスライダーに結合されるレールボディーと、
前記本体またはスライダーに固定結合されると共に、前記レールボディーにスライド自在に結合されるレールガイドと、
を含むことを特徴とする請求項１に記載のサイドスライド型電子装置。
【請求項９】
前記横方向スライド手段は、前記レールガイドが前記レールボディーの設定された位置で着脱されるようにする着脱手段をさらに含むことを特徴とする請求項１に記載のサイドスライド型電子装置。
【請求項１０】
前記着脱手段は、
前記レールボディーに形成された複数の着脱溝と、
前記レールガイドに形成され、前記レールボディーの着脱溝に着脱される弾性着脱突起と、
からなることを特徴とする請求項９に記載のサイドスライド型電子装置。
【請求項１１】
前記レールボディーは、
所定の厚さを有する矩形状に形成されるベース部と、
前記ベース部の一面に該ベース部の長手方向に形成されるレール溝と、
からなることを特徴とする請求項８に記載のサイドスライド型電子装置。
【請求項１２】
前記レールガイドは、
前記レールボディーのレール溝にスライド自在に結合されるレール部と、
前記レール部の両側に延長形成される係止部と、
からなることを特徴とする請求項８に記載のサイドスライド型電子装置。
【請求項１３】
前記横方向スライド手段は、少なくとも１つ以上備えられ、互いに所定の間隔をおいて配置されることを特徴とする請求項１に記載のサイドスライド型電子装置。
【請求項１４】
前記スライダーと本体との間には、これらのスライダーと本体との相対運動をスムーズにする緩衝部材が備えられることを特徴とする請求項１に記載のサイドスライド型電子装置。
【請求項１５】
ディスプレイユニットが備えられたスライダーを、本体に対し該本体の相対的に長さの短い方向に動かす段階と、
前記スライダーの動きを感知して、前記ディスプレイユニットに表示される画像情報を、前記本体またはスライダーのキーパッドを利用してキー入力の容易な方向に変換して表示する段階と、
を含むことを特徴とするサイドスライド型電子装置の制御方法。
【請求項１６】
前記スライダーが前記本体と一体に重なるとき、前記本体の相対的に長さの長い方向に画像情報が表示され、前記スライダーが前記本体に重なった状態から離脱するとき、前記本体の相対的に長さの短い方向に画像情報が表示されることを特徴とする請求項１５に記載のサイドスライド型電子装置の制御方法。
【発明の詳細な説明】
【技術分野】
【０００１】
本発明は、携帯用端末機に関し、特に、文字キーが配列される領域をより広く確保して文字キーの個数を増加させることにより、文字使用をより便利にするサイドスライド型電子装置及びその制御方法に関する。
【背景技術】
【０００２】
一般に、携帯用端末機は、使用者が簡便に携帯しながら何処でも相手方と音声送受信が可能な通信機器である。このような携帯用端末機は、情報通信技術が発展するにつれて、文字送受信機能、インターネット接続機能、及びテレビ受信機能だけでなく、カメラを備えて被写体を撮影しその撮影された静止画像または動画像を送受信する機能も有するようになった。且つ、携帯用端末機の使用領域は持続的に拡大している。
【０００３】
また、前記携帯用端末機は、その外形的な構造によって、折りたたみ型、フリップ型、ストレート型など、その形態が多様である。
【０００４】
図９は、従来のスライド型携帯用端末機を示す斜視図である。図９に示すように、従来のスライド型携帯用端末機は、所定の幅及び長さを有し、その下部領域に数字用キーパッド１１０が備えられた本体１００と、前記本体１００の幅と同じ幅及び所定の長さを有し、前記本体１００に重なるように位置するスライダー２００と、前記スライダー２００が前記本体１００の長手方向に相対運動可能なように、前記スライダー２００と本体１００との間に結合される長手方向スライド手段と、前記スライダー２００に固定結合されるディスプレイユニット２１０とを含む。
【０００５】
前記本体１００は、所定の厚さを有する矩形状に形成される。前記数字用キーパッド１１０には、複数のキー１１１が備えられ、前記数字用キーパッド１１０は、前記複数のキー１１１が前記本体１００の外部に突出されるように、前記本体１００の内部に結合される。前記複数のキー１１１は、配列される領域が限定されており、その個数が少ないので、数字を入力させる機能と文字を入力させる機能を共に有するが、数字を入力させる機能が主要機能である。且つ、前記複数のキー１１１は、１つのキー１１１に複数の文字入力機能を有する。従って、メッセージを入力する場合、１つのキー１１１を繰り返して複数回押圧する。
【０００６】
前記数字用キーパッド１１０の複数のキー１１１は、前記スライダー２００と前記本体１００とが重なっている初期位置状態では、前記スライダー２００により遮蔽され、前記スライダー２００が前記本体１００の長手方向に移動した状態では、外部に露出して使用者により使用可能になる。且つ、前記本体１００の下面には、バッテリー１２０が脱着可能に装着される。
【０００７】
また、前記スライダー２００上面の上部領域には、ディスプレイユニット２１０が備えられ、前記スライダー２００上面の下部領域には、操作用キーパッド２２０が備えられる。前記操作用キーパッド２２０の各キー２２１の押圧により、通話を可能にするか終了し、且つ、その他のサービス機能を動作させることもできる。
【０００８】
前記ディスプレイユニット２１０のディスプレイウィンドウ２１１は、矩形状に形成され、その長手方向が前記スライダー２００の長手方向と同様に位置する。
【０００９】
前記長手方向スライド手段は、図１０に示すように、前記本体１００上面の上部側に設置される駆動モータ３１０と、前記駆動モータ３１０に結合されるピニオン３２０と、前記スライダー２００の下面に長手方向に設置され、その一側が前記ピニオン３２０と噛み合うラック３３０とを含む。
【００１０】
未説明符号２０１は複数のガイド溝で、１０１はこれらのガイド溝２０１にそれぞれ挿入される複数のガイド突起で、２３０はレシーバーで、１３０はマイクである。
【００１１】
前記長手方向スライド手段は、前述したような構成の他にも、ワイヤースプリングを利用した半自動技術など、多様な技術が公開されている。
【００１２】
以下、このように構成された従来のスライド型携帯用端末機の作動を説明する。
【００１３】
まず、使用者が相手方に電話をかける場合、図１１に示すように、使用者は、スライダー２００を本体１００の長手方向に沿って本体１００の上側に移動させて、前記本体１００に備えられた数字用キーパッド１１０の複数のキー１１１を外部に露出させる。次いで、使用者は、前記外部に露出した数字用キーパッド１１０の複数のキー１１１を押圧して相手方の電話番号を入力し、前記スライダー２００に備えられた操作用キーパッド２２０のキー２２１を利用して相手方と通話可能にする。その後、相手方との通話が終了すると、使用者は、前記スライダー２００を前記本体１００の長手方向に沿って前記本体１００の下側に移動させて、前記スライダー２００が前記本体１００と一致して重なるようにする。
【００１４】
また、使用者に電話がかかってくる場合、使用者は、前記スライダー２００を前記本体１００の長手方向に沿って前記本体１００の上側に移動させて相手方と通話する。その後、相手方との通話が終了すると、使用者は、前記スライダー２００を前記本体１００の長手方向に沿って前記本体１００の下側に移動させて、前記スライダー２００が前記本体１００と一致して重なるようにする。
【００１５】
一方、使用者が相手方と文字メッセージをやり取りするか、またはインターネットに接続して情報を入力する場合、使用者は、前記スライダー２００を前記本体１００の上側に移動させて、前記本体１００の下側に備えられた数字用キーパッド１１０の複数のキー１１１を外部に露出させた状態で、前記数字用キーパッド１１０の複数のキー１１１を押圧して文字、数字及びその他の記号を入力する。前記本体１００に備えられた数字用キーパッド１１０の複数のキー１１１は、数字を中心に構成されており、前記各キー１１１を１回押圧する場合、数字が直ちに入力される。そして、文字を入力する場合、その文字を構成する子音及び母音を選択するために、１つのキー１１１を２回または３回押圧して所望の文字を入力させるようになっている。
【００１６】
前述したような従来のスライド型携帯用端末機は、前記スライダー２００が前記本体１００の長手方向に沿って前記本体１００の上下方向に動くように構成されており、携帯用端末機の使用時に前記スライダー２００が動く空間が小さくて使用が便利であるだけでなく、構造的強度が大きくなる。これに対し、折りたたみ型携帯用端末機の場合、下側ユニットの一側を軸として上側ユニットが下側ユニットに対し開閉されるので、上側ユニットが動く空間が大きいだけでなく、上側ユニットを開けた状態では構造的強度が弱い。
【発明の開示】
【発明が解決しようとする課題】
【００１７】
しかしながら、このような従来のスライド型携帯用端末機においては、スライダー２００が本体１００の長手方向に沿って本体１００の上下方向に動く構造であるので、その構造上、前記スライダー２００を上側に移動させるときに外部に露出する、前記本体１００の下部領域の面積が小さいため、前記本体１００の下部領域に備えられる数字用キーパッド１１０に多くのキー１１１を配列することができない。これにより、１つのキー１１１に多くの機能を追加するようになり、且つ、キー１１１を利用して文字を入力する場合、１つのキー１１１を２回または３回押圧して入力するので、文字メッセージをやり取りするか、または文字を利用して情報を入力する場合、非常に不便になる。特に、ＩＭ(Instant Message)携帯用端末機のように多くの文字キーを必要とする場合、その携帯用端末機の使用が非常に不便になるという問題点があった。
【００１８】
本発明は、このような従来技術の問題点を解決するためになされたもので、文字キーが配列される領域をより広く確保して文字キーの個数を増加させることにより、文字使用をより便利にするための拡張キーパッドを含むようにしたサイドスライド型電子装置及びその制御方法を提供することを目的とする。
【課題を解決するための手段】
【００１９】
このような目的を達成するために、本発明によるサイドスライド型電子装置は、縦と横の長さが異なるように形成された本体と、前記本体と重なるスライダーと、前記本体とスライダーとの間に装着され、前記スライダーを前記本体の長さの短い方向に動き可能にする横方向スライド手段とを含むことを特徴とする。
【００２０】
また、本発明によるサイドスライド型電子装置の制御方法は、ディスプレイユニットが備えられたスライダーを、本体に対し該本体の相対的に長さの短い方向に動かす段階と、前記スライダーの動きを感知して、前記ディスプレイユニットに表示される画像情報のディスプレイ方向を変換して表示する段階とを含むことを特徴とする。
【００２１】
上記目的を達成するために、本発明は、例えば、以下の手段を提供する。
（項目１）
縦と横の長さが異なるように形成され、その長さの長い方向の所定領域に長手方向に複数のキーが配列されるキーパッドが備えられた本体と、
前記本体と重なるスライダーと、
前記本体とスライダーとの間に装着され、前記スライダーにより前記本体の複数のキーが開放または覆蓋されるように、前記スライダを前記本体の長さの短い方向に動き可能にする横方向スライド手段と、
を含むことを特徴とするサイドスライド型電子装置。
（項目２）
前記キーパッドは、コンピュータのキーボードのようなＱＷＥＲＴＹキー配列を有することを特徴とする項目１に記載のサイドスライド型電子装置。
（項目３）
前記本体の複数のキーが該本体の上面に配列される領域は、前記本体の長さの短い辺の１/２と、前記本体の長さの長い辺の全体に該当する面積であることを特徴とする項目２に記載のサイドスライド型電子装置。
（項目４）
前記複数のキーは、文字を入力するためのキーを含むことを特徴とする項目２に記載のサイドスライド型電子装置。
（項目５）
互いに対面する前記本体の上面と前記スライダーの下面とは、同じ形状に形成されることを特徴とする項目１に記載のサイドスライド型電子装置。
（項目６）
前記スライダーの上面には、数字を入力するための複数のキーと、機能を操作するための複数のキーが備えられることを特徴とする項目１に記載のサイドスライド型電子装置。
（項目７）
前記スライダーの上面には、ディスプレイユニットが備えられることを特徴とする項目１に記載のサイドスライド型電子装置。
（項目８）
前記横方向スライド手段は、
前記本体またはスライダーに結合されるレールボディーと、
前記本体またはスライダーに固定結合されると共に、前記レールボディーにスライド自在に結合されるレールガイドと、
を含むことを特徴とする項目１に記載のサイドスライド型電子装置。
（項目９）
前記横方向スライド手段は、前記レールガイドが前記レールボディーの設定された位置で着脱されるようにする着脱手段をさらに含むことを特徴とする項目１に記載のサイドスライド型電子装置。
（項目１０）
前記着脱手段は、
前記レールボディーに形成された複数の着脱溝と、
前記レールガイドに形成され、前記レールボディーの着脱溝に着脱される弾性着脱突起と、
からなることを特徴とする項目９に記載のサイドスライド型電子装置。
（項目１１）
前記レールボディーは、
所定の厚さを有する矩形状に形成されるベース部と、
前記ベース部の一面に該ベース部の長手方向に形成されるレール溝と、
からなることを特徴とする項目８に記載のサイドスライド型電子装置。
（項目１２）
前記レールガイドは、
前記レールボディーのレール溝にスライド自在に結合されるレール部と、
前記レール部の両側に延長形成される係止部と、
からなることを特徴とする項目８に記載のサイドスライド型電子装置。
（項目１３）
前記横方向スライド手段は、少なくとも１つ以上備えられ、互いに所定の間隔をおいて配置されることを特徴とする項目１に記載のサイドスライド型電子装置。
（項目１４）
前記スライダーと本体との間には、これらのスライダーと本体との相対運動をスムーズにする緩衝部材が備えられることを特徴とする項目１に記載のサイドスライド型電子装置。
（項目１５）
ディスプレイユニットが備えられたスライダーを、本体に対し該本体の相対的に長さの短い方向に動かす段階と、
前記スライダーの動きを感知して、前記ディスプレイユニットに表示される画像情報を、前記本体またはスライダーのキーパッドを利用してキー入力の容易な方向に変換して表示する段階と、
を含むことを特徴とするサイドスライド型電子装置の制御方法。
（項目１６）
前記スライダーが前記本体と一体に重なるとき、前記本体の相対的に長さの長い方向に画像情報が表示され、前記スライダーが前記本体に重なった状態から離脱するとき、前記本体の相対的に長さの短い方向に画像情報が表示されることを特徴とする項目１５に記載のサイドスライド型電子装置の制御方法。
【発明の効果】
【００２２】
本発明によるサイドスライド型電子装置及びその制御方法においては、本体にコンピュータのキーボードのような多くの文字キーを備えることにより、文字専用携帯用端末機としての機能が可能になり、文字の入力が非常に便利であるという効果がある。これにより、インターネット利用時、文字の入力が便利かつ迅速になり、文字の入力に所要する時間を短縮させることにより、インターネットを使用する時間を短縮させることができるという効果がある。
【００２３】
また、本発明によるサイドスライド型電子装置は、従来のストレート型携帯用端末機のように、相手方と便利に通話をすることができる。
【発明を実施するための最良の形態】
【００２４】
以下、添付の図面を参照して、本発明によるサイドスライド型電子装置及びその制御方法の好ましい実施形態について説明する。
【００２５】
図１は、本発明によるサイドスライド型電子装置を示す正面図で、図２は、図１のサイドスライド型電子装置の開状態を示す正面図で、図３は、図１のサイドスライド型電子装置の開状態を示す背面図である。
【００２６】
図１〜図３に示すように、本発明によるサイドスライド型電子装置は、縦と横の長さが異なるように形成された本体４００と、前記本体４００と重なるスライダー５００と、前記本体４００とスライダー５００との間に装着され、前記スライダー５００を前記本体４００の長さの短い方向に動き可能にする横方向スライド手段６００とを含む。
【００２７】
前記本体４００は、所定の厚さを有する矩形状に形成され、横の長さが縦の長さより相対的に短く形成される。また、前記本体４００の上面は、縦方向を基準に２つの領域に区画され、その一側が複数のキーが配列されるキー配列領域で、他側が前記横方向スライド手段６００が備えられる装着領域である。前記キー配列領域は、ＱＷＥＲＴＹキーパッド配列を有することが好ましい。
【００２８】
前記スライダー５００は、所定の厚さを有する矩形状に形成される。前記スライダー５００の下面のサイズは、前記本体４００の上面のサイズと同様に形成されることが好ましい。前記スライダー５００の内部には、ＰＣＢなどが装着される。
【００２９】
前記スライダー５００上面の下部には、数字を入力するための複数の数字用キー５１０が備えられ、これらの数字用キー５１０の上側には、複数の操作用キー５２０が備えられる。また、前記スライダー５００上面の上部には、ディスプレイユニット５３０が備えられる。前記ディスプレイユニット５３０を構成するディスプレイウィンドウ５３１は、縦と横の長さが異なる矩形状に形成され、前記ディスプレイウィンドウ５３１の長さの長い方向が、前記スライダー５００の長さの長い方向に位置するように、前記スライダー５００に結合される。
【００３０】
前記横方向スライド手段６００は、図４に示すように、前記スライダー５００に結合されるレールボディー６１０と、前記本体４００に固定結合されると共に、前記レールボディー６１０にスライド自在に結合されるレールガイド６２０とを含む。また、前記横方向スライド手段６００は、前記レールガイド６２０が前記レールボディー６１０の設定された位置で着脱されるようにする着脱手段をさらに含む。
【００３１】
前記レールボディー６１０は、所定の厚さを有する矩形状に形成されるベース部６１１と、前記ベース部６１１の一面に該ベース部６１１の長手方向に形成されるレール溝６１２とからなる。前記レール溝６１２は、前記ベース部６１１の長手方向に貫通形成され、所定の幅及び深さを有する垂直溝部６１３と、前記垂直溝部６１３の底面両側に四角形状にそれぞれ形成された水平溝部６１４とからなる。
【００３２】
前記レールボディー６１０は、その長手方向が前記スライダー５００の横方向に位置するように、前記スライダー５００の下面に固定結合される。このとき、前記レールボディー６１０は、複数のネジにより前記スライダー５００に締結される。
【００３３】
また、前記レールガイド６２０は、前記レールボディー６１０のレール溝６１２にスライド自在に結合されるレール部６２１と、前記レール部６２１の両側に延長形成される係止部６２２とからなる。前記レール部６２１は、前記レール溝６１２の幅と相応する幅及び所定の長さを有する六面体の上面に突起６２３が形成されてなる。前記係止部６２２は、前記レール部６２１の下端両側にそれぞれ所定の厚さ及び長さを有するように形成される。
【００３４】
前記レールガイド６２０は、その長手方向が前記本体４００の横方向に位置するように、前記本体４００上面の装着領域に結合される。このとき、前記レールガイド６２０は、複数のネジにより前記本体４００に締結される。また、前記レールガイド６２０は、そのレール部６２１及び係止部６２２が前記レールボディー６１０のレール溝６１２に挿入されることにより、前記レールボディー６１０と結合される。
【００３５】
前記着脱手段は、図５に示すように、前記レールボディー６１０のレール溝６１２に形成された複数の着脱溝６１５と、前記レールガイド６２０のレール部６２１に形成され、自体の弾性により前記着脱溝６１５に着脱される弾性着脱突起６２４とからなる。前記複数の着脱溝６１５は、前記レール溝６１２の底面に所定の間隔をおいて２つ形成されることが好ましい。前記弾性着脱突起６２４は、前記レールガイド６２０のレール部６２１の下面中央に突成されることが好ましい。
【００３６】
前記複数の着脱溝６１２は、前記レールボディー６１０の一端から前記レールガイド６２０の１/２距離に位置する個所と、前記レールボディー６１０の他端から前記レールガイド６２０の１/２距離に位置する個所とにそれぞれ形成されることが好ましい。
【００３７】
前記横方向スライド手段６００は、２つ備えられることが好ましい。これらの横方向スライド手段６００は、互いに所定の間隔をおいて配置される。
【００３８】
前記スライダー５００と本体４００との間には、これらのスライダー５００と本体４００との相対運動をスムーズにする緩衝部材６３０が備えられることが好ましい。前記緩衝部材６３０は、潤滑コーティングされた合成樹脂ワイヤーからなることが好ましい。前記緩衝部材６３０は、所定の間隔をおいて２つ配置されることが好ましい。
【００３９】
前記スライダー５００上面の上部には、レシーバー５４０が装着され、前記スライダー５００上面の下部には、マイク５５０が装着される。
【００４０】
前記本体４００の下面には、バッテリー４２０が着脱可能に結合され、スピーカー４３０が装着される。
【００４１】
以下、このように構成された本発明によるサイドスライド型電子装置の制御方法を説明する。
【００４２】
本発明によるサイドスライド型電子装置の制御方法は、図６に示すように、ディスプレイユニット５３０が備えられたスライダー５００を、本体４００に対し、該本体４００の相対的に長さの短い方向に動かす段階と、前記スライダー５００の動きを感知して、前記ディスプレイユニット５３０に表示される画像情報を９０°変換して表示する段階とを含む。
【００４３】
前記本体４００及びスライダー５００は、前述したように、縦と横の長さが異なる矩形状に形成され、前記本体４００とスライダー５００とは、長さの短い方向にスライドしながら互いに相対運動を行う。
【００４４】
前記スライダー５００が前記本体４００と一致して重なるとき、前記スライダー５００に備えられたディスプレイユニット５３０に、前記本体４００及びスライダー５００の相対的に長さの長い方向に画像情報が表示され、前記スライダー５００が前記本体４００に重なった状態から長さの短い方向にスライドされるとき、前記本体４００の相対的に長さの短い方向に画像情報が表示される。
【００４５】
以下、このような本発明によるサイドスライド型電子装置及びその制御方法の作用効果を説明する。
【００４６】
まず、使用者が前記サイドスライド型電子装置を利用して相手方に電話をかける場合、本体４００とスライダー５００とが互いに一致して重なった状態で、前記スライダー５００に備えられた、数字用キー５１０を押圧して相手方の電話番号を入力し、操作用キー５２０を押圧して相手方と通話可能にする。その後、相手方との通話が終了すると、前記操作用キー５２０を押圧して通話を停止させる。この過程で、前記スライダー５００に備えられたディスプレイユニット５３０に表示される画像情報は、前記スライダー５００の長さの長い方向と一致するように、長手方向に表示される。
【００４７】
また、使用者に電話がかかってくる場合、前記本体４００とスライダー５００とが一致して重なった状態で、前記操作用キー５２０を押圧して相手方と通話する。その後、相手方との通話が終了すると、前記操作用キー５２０を押圧して通話を停止させる。この過程で、前記スライダー５００に備えられたディスプレイユニット５３０に表示される画像情報は、前記スライダー５００の長さの長い方向と一致するように、長手方向に表示される。
【００４８】
一方、使用者が相手方と文字メッセージをやり取りするか、またはインターネットに接続して情報を入力する場合、図７に示すように、使用者は、前記スライダー５００を前記本体４００に対し相対的に長さの短い横方向にスライドさせて、前記本体４００に備えられた複数の文字用キー４１０を外部に露出させる。
【００４９】
このとき、使用者により前記スライダー５００が前記本体４００の横方向に押されると、前記スライダー５００に結合されたレールボディー６１０と前記本体４００に結合されたレールガイド６２０とが互いにスライドされながら、前記スライダー５００が前記本体４００の横方向に移動されることによって、前記本体４００の複数の文字用キー４１０が外部に露出する。前記スライダー５００が前記本体４００に対し所定の距離だけスライドされると、前記本体４００に結合されたレールガイド６２０の弾性着脱突起６２４が、前記スライダー５００に結合されたレールボディー６１０の着脱溝６１５に挿入固定されることによって、前記スライダー５００が固定される。
【００５０】
前記スライダー５００が前記本体４００の横方向にスライドされると、これが感知されて、前記ディスプレイユニット５３０に表示される画面情報が９０°変換されて表示される。
【００５１】
使用者は、図８に示すように、前記本体４００及びスライダー５００の長さの長い方向が使用者の水平方向に位置するように、サイドスライド型電子装置を９０°回転させる。このとき、前記本体４００に備えられた複数の文字用キー４１０は、使用者の手前に位置するようになり、且つ、前記ディスプレイユニット５３０に表示される画像情報は、使用者が見やすい垂直状態となる。このような状態で、使用者は前記本体４００に備えられた複数の文字用キー４１０を利用して文字情報を入力する。
【００５２】
そして、文字メッセージやインターネットの使用が終了すると、使用者は、前記スライダー５００を押し、これにより、前記スライダー５００が前記本体４００と一致して重なる。このとき、使用者により前記スライダー５００が押されることによって、着脱手段を構成する前記弾性着脱突起６２４が前記着脱溝６１５から離脱する。その後、前記スライダー５００が前記本体４００と一致して重なった位置で、前記弾性着脱突起６２４が他の着脱溝６１５に挿入されることによって、前記スライダー５００が前記本体４００に固定される。
【００５３】
前記スライダー５００がスライドされて前記本体４００と一致して重なると、前記ディスプレイユニット５３０に表示される画像情報は９０°変換される。これにより、前記本体４００及びスライダー５００の長さの長い方向が使用者の垂直方向と一致するように位置した状態で画像情報が垂直に表示される。
【００５４】
本発明は、前記スライダー５００が前記本体４００の長さの短い方向に前記本体４００に対しスライド可能であるので、前記スライダー５００が前記本体４００に対しスライドされた状態で、前記本体４００上面の外部に露出する領域が大きくなる。即ち、前記本体４００は、横の長さが縦の長さより小さく形成され、前記スライダー５００が前記本体４００の横方向にスライドされるので、前記スライダー５００がスライドされた状態で、前記本体４００の外部に露出する面積が大きくなる。従って、前記本体４００上面の複数の文字用キー４１０が配列される面積が相対的に大きくなり、より多くの文字用キー４１０の配列が可能で、これにより、前記本体４００の上面にコンピュータのキーボードのように多様な文字用キー４１０が備えられる。
【００５５】
また、前記スライダー５００が前記本体４００の長さの短い方向にスライドされることによって、前記ディスプレイユニット５３０に表示される画像情報が９０°変換されて表示されるので、前記複数の文字用キー４１０の使用が便利になる。
【００５６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５７】
文字キーが配列される領域をより広く確保して文字キーの個数を増加させることにより、文字使用をより便利にするサイドスライド型電子装置及びその制御方法を提供する。
【００５８】
サイドスライド型電子装置は、縦と横の長さが異なるように形成された本体４００と、前記本体４００と重なるスライダー５００と、前記本体４００とスライダー５００との間に装着され、前記スライダー５００を前記本体４００の長さの短い方向に動き可能にする横方向スライド手段６００とを含み、前記スライダー５００に備えられるディスプレイユニット５３０に表示される画像情報を９０°変換して制御する。
【図面の簡単な説明】
【００５９】
【図１】本発明によるサイドスライド型電子装置を示す正面図である。
【図２】本発明によるサイドスライド型電子装置の開状態を示す正面図である。
【図３】本発明によるサイドスライド型電子装置の開状態を示す背面図である。
【図４】本発明によるサイドスライド型電子装置の横方向スライド手段を示す分解斜視図である。
【図５】本発明によるサイドスライド型電子装置の横方向スライド手段を示す断面図である。
【図６】本発明によるサイドスライド型電子装置の制御方法を示すフローチャートである。
【図７】本発明によるサイドスライド型電子装置の作動状態を示す正面図である。
【図８】本発明によるサイドスライド型電子装置の作動状態を示す正面図である。
【図９】従来のスライド型携帯用端末機を示す斜視図である。
【図１０】従来のスライド型携帯用端末機を示す分解斜視図である。
【図１１】従来のスライド型携帯用端末機の作動状態を示す斜視図である。
【符号の説明】
【００６０】
４００  本体
４１０、５１０、５２０  キー
５００  スライダー
５３０  ディスプレイユニット
５３１  ディスプレイウィンドウ
６００  横方向スライド手段
６１０  レールボディー
６１１  ベース部
６１２  レール溝
６１５  着脱溝
６２０  レールガイド
６２１  レール部
６２２  係止部
６２４  弾性着脱突起
６３０  緩衝部材
【図１】
2006178924.tif 000003
【図２】
2006178924.tif 000004
【図３】
2006178924.tif 000005
【図４】
2006178924.tif 000006
【図５】
2006178924.tif 000007
【図６】
2006178924.tif 000008
【図７】
2006178924.tif 000009
【図８】
2006178924.tif 000010
【図９】
2006178924.tif 000011
【図１０】
2006178924.tif 000012
【図１１】
2006178924.tif 000013